(57)【特許請求の範囲】
【請求項１】
空調装置（２０）と共に車両（５０）に搭載される車両用空気吹き出し装置（１０）であって、
前記空調装置から空気が流入する部分である入口部（１１１）と、
前記車両の車室内に空気が吹き出る部分である出口部（１１２）と、
前記入口部に流入した空気を、前記出口部まで案内する案内流路（Ｘ）を区画する流路壁（１１）と、を備え、
前記入口部から空気が流入する方向に沿って見たときにおいて、前記出口部は、前記入口部の位置に対してずれた位置に設けられており、
前記流路壁には、
前記流路壁の内面に沿って流れる空気の一部を、前記流路壁から離れて前記出口部側へと向かうように案内する方向変更部（１１５ａ，１１５ｂ，１１５ｃ，１１６ａ，１１６ｂ，１１６ｃ）が形成されており、
前記方向変更部は、空気が流れる方向に沿って複数個並ぶように形成されており、
前記出口部には、空気を吹き出すための開口（ＯＰ）が上方に向けて形成されており、
前記流路壁のうち最も下流側の部分には、前記開口から吹き出される空気の少なくとも一部を、コアンダ効果により前記車両の後方側に向かうよう案内するコアンダ面（１１３ａ）が形成されており、
複数の前記方向変更部のうち最も上流側に形成されているものは、
上面視において、前記コアンダ面の上流側端部よりも前記車両の後方側となる位置に形成されている、車両用空気吹き出し装置。
【請求項２】
それぞれの前記方向変更部は、前記流路壁から前記案内流路の内側へ向けて突出し、空気が衝突するように形成された衝突面（１１５ａ，１１５ｂ，１１５ｃ，１１６ａ，１１６ｂ，１１６ｃ）を有しており、
空気の流れに沿って下流側に行くほど、前記衝突面の突出量が小さくなる、請求項１に記載の車両用空気吹き出し装置。
【請求項３】
複数の前記方向変更部は、前記流路壁の一部を階段状とすることにより形成されたものである、請求項１又は２に記載の車両用空気吹き出し装置。
【請求項４】
複数の前記方向変更部のうち最も下流側に形成されているものは、
上面視において、前記開口よりも前記車両の前方側となる位置に形成されている、請求項１に記載の車両用空気吹き出し装置。
【発明の詳細な説明】
【技術分野】
【０００１】
本発明は、車両に搭載される車両用空気吹き出し装置に関する。
【背景技術】
【０００２】
車室内に空気を吹き出すことにより、フロントガラスの曇りの解消や、車室内の空調を行うことのできる車両用空気吹き出し装置が知られている。車両用空気吹き出し装置から空気が吹き出される方向は、車両用空気吹き出し装置のモードによって異なる。例えば、フロントガラスの曇りの解消を行うデフロストモードにおいては、空気はフロントガラスに向けて吹き出される。また、乗員に対して直接空調風を当てるフェイスモードにおいては、空気は乗員の上半身に向けて吹き出される。
【０００３】
下記特許文献１に記載の車両用空気吹き出し装置は、空気の出口として単一の吹出口のみがインストルメントパネルの上面に形成されている構成でありながら、上記のような複数のモードに応じて異なる方向に空気を吹き出すことが可能となっている。この車両用空気吹き出し装置は、上方に向けて開口している吹出口の内側（つまり上流側）に、曲面を有するガイド壁が配置されている。
【０００４】
例えばフェイスモードにおいては、内部の気流偏向ドアにより、上記ガイド壁に沿って流れる空気の流速が大きい状態とされる。このとき、コアンダ効果により空気はガイド壁に沿ってその流れ方向を変化させ、乗員の上半身に向けて吹き出される。また、デフロストモードにおいては、上記気流偏向ドアにより、ガイド壁に沿って流れる空気の流速が小さい状態とされる。このとき、空気はその流れ方向を変化させることなく、吹出口の上方にあるフロントガラスに向かって吹き出される。
【先行技術文献】
【特許文献】
【０００５】
【特許文献１】特開２０１４−２１０５６４号公報
【発明の概要】
【発明が解決しようとする課題】
【０００６】
車両には、上記のような車両用空気吹き出し装置の他、車両用空気吹き出し装置に空調風を供給する空調装置も搭載される。車両における空調装置の搭載場所は、他の機器の配置による制約を受ける。車両用空気吹き出し装置内の流路全体を一直線状とし、空調装置から供給された空気がそのまま直進して車室内に吹き出されるような構成とすることは、上記制約により困難である場合が多い。その場合、空調装置は、空気の吹き出し口に対してオフセットした位置に設けられることとなる。換言すれば、車両用空気吹き出し装置に形成された流路の入口から空気が流入する方向に沿って見たときにおいて、吹き出し口は、上記入口の位置に対してずれた位置に設けられることとなる。このとき、車両用空気吹き出し装置の流路は、少なくとも一部において屈曲した流路となる。
【０００７】
車両用空気吹き出し装置の流路が屈曲していると、空気は、その流れ方向を変化させながら流路を通り、車室内に吹き出される。このとき、車室内に吹き出される空気の方向は、それまでに通った流路の形状に起因して、特定の方向に偏ってしまうことがある。例えば、吹き出し口の位置に対して空調装置が左側にオフセットしているような構成においては、吹き出し口から吹き出される空気の方向は右側に偏ってしまう傾向がある。
【０００８】
本発明はこのような課題に鑑みてなされたものであり、その目的は、車室内に吹き出される空気の方向が特定の方向に偏ってしまうことを抑制することのできる車両用空気吹き出し装置を提供することにある。
【課題を解決するための手段】
【０００９】
上記課題を解決するために、本発明に係る車両用空気吹き出し装置は、空調装置（２０）と共に車両（５０）に搭載される車両用空気吹き出し装置（１０）であって、空調装置から空気が流入する部分である入口部（１１１）と、車両の車室内に空気が吹き出る部分である出口部（１１２）と、入口部に流入した空気を、出口部まで案内する案内流路（Ｘ）を区画する流路壁（１１）と、を備える。入口部から空気が流入する方向に沿って見たときにおいて、出口部は、入口部の位置に対してずれた位置に設けられている。流路壁には、流路壁の内面に沿って流れる空気の一部を、流路壁から離れて出口部側へと向かうように案内する方向変更部（１１５ａ，１１５ｂ，１１５ｃ，１１６ａ，１１６ｂ，１１６ｃ）が形成されている。方向変更部は、空気が流れる方向に沿って複数個並ぶように形成されている。出口部には、空気を吹き出すための開口（ＯＰ）が上方に向けて形成されている。流路壁のうち最も下流側の部分には、開口から吹き出される空気の少なくとも一部を、コアンダ効果により車両の後方側に向かうよう案内するコアンダ面（１１３ａ）が形成されている。複数の方向変更部のうち最も上流側に形成されているものは、上面視において、コアンダ面の上流側端部よりも車両の後方側となる位置に形成されている。
【００１０】
このような車両用空気吹き出し装置においては、流路壁に沿って流れる空気の一部が、方向変更部によってその流れ方向を変化させ、流路壁を離れて出口部側へと向かうように案内される。このため、方向変更部の位置や数を適宜調整することで、出口部から吹き出される空気の方向の偏りを抑制することが可能となる。
【発明の効果】
【００１１】
本発明によれば、車室内に吹き出される空気の方向が特定の方向に偏ってしまうことを抑制することのできる車両用空気吹き出し装置が提供される。
【図面の簡単な説明】
【００１２】
【図１】本発明の実施形態に係る車両用空気吹き出し装置の構成を説明するための図である。
【図２】本発明の実施形態に係る車両用空気吹き出し装置の構成を説明するための図である。
【図３】本発明の実施形態に係る車両用空気吹き出し装置の構成を説明するための図である。
【図４】本発明の実施形態に係る車両用空気吹き出し装置の構成を説明するための図である。
【図５】本発明の実施形態に係る車両用空気吹き出し装置の構成を説明するための図である。
【図６】本発明の実施形態に係る車両用空気吹き出し装置の、内部における空気の流れを説明するための図である。
【図７】本発明の変形例に係る車両用空気吹き出し装置の、内部における空気の流れを説明するための図である。
【発明を実施するための形態】
【００１３】
以下、添付図面を参照しながら本発明の実施形態について説明する。説明の理解を容易にするため、各図面において同一の構成要素に対しては可能な限り同一の符号を付して、重複する説明は省略する。
【００１４】
本発明の実施形態である車両用空気吹き出し装置１０は、車両５０（図２を参照）の車室内に、空調装置２０からの空調風を吹き出すための装置である。車両用空気吹き出し装置１０の説明に先立ち、図１を参照しながら空調装置２０の構成について説明する。尚、以下では、上、下、右、左、前、後と単に記載するものは、車両５０を基準とした上、下、右、左、前、後をいう。
【００１５】
空調装置２０は、車室内の前席の前方に配置されたインストルメントパネル１(図１では不図示。図２を参照）の内部に配置されている。空調装置２０は、外殻を構成する空調ケース２１を有する。この空調ケース２１は、空調対象空間である車室内へ空気を導く空気通路を構成している。空調ケース２１の空気流れ最上流部には、車室内空気（内気）を吸入する内気吸入口２２と車室外空気（外気）を吸入する外気吸入口２３とが形成されると共に、各吸入口２２、２３を選択的に開閉する吸入口開閉ドア２４が設けられている。これら内気吸入口２２、外気吸入口２３、および吸入口開閉ドア２４は、空調ケース２１内への吸入空気を内気および外気に切り替える内外気切替手段を構成している。尚、吸入口開閉ドア２４は、不図示の制御装置から出力される駆動信号により、その作動が制御される。
【００１６】
吸入口開閉ドア２４の空気流れ下流側には、車室内へ空気を送風する送風手段としての送風機２５が配置されている。送風機２５は、遠心ファン２５ａと、ファンモータ２５ｂとを有している。ファンモータ２５ｂは、制御装置から出力される駆動信号により、その作動が制御される。
【００１７】
送風機２５の空気流れ下流側には、送風機２５により送風された空調風を冷却する蒸発器２６が配置されている。蒸発器２６は、その内部を流通する冷媒と空調風とを熱交換させる熱交換器であり、図示しない圧縮機、凝縮器、膨張弁等と共に蒸気圧縮式の冷凍サイクルを構成するものである。
【００１８】
蒸発器２６の空気流れ下流側には、蒸発器２６にて冷却された空気を加熱するヒータコア２７が配置されている。本実施形態のヒータコア２７は、車両エンジンの冷却水を熱源として空気を加熱する熱交換器である。また、蒸発器２６の空気流れ下流側には、蒸発器２６通過後の空気を、ヒータコア２７を迂回して流す冷風バイパス通路２８が形成されている。
【００１９】
ここで、ヒータコア２７および冷風バイパス通路２８の空気流れ下流側にて混合される空調風の温度は、ヒータコア２７を通過する空調風および冷風バイパス通路２８を通過する空調風の風量割合によって変化する。
【００２０】
このため、蒸発器２６の空気流れ下流側であって、ヒータコア２７および冷風バイパス通路２８の入口側には、エアミックスドア２９が配置されている。このエアミックスドア２９は、ヒータコア２７および冷風バイパス通路２８へ流入する冷風の風量割合を連続的に変化させるもので、蒸発器２６およびヒータコア２７と共に温度調整手段として機能する。エアミックスドア２９は、制御装置から出力される制御信号によってその作動が制御される。
【００２１】
空調ケース２１の空調風流れ最下流部には、デフロスタ／フェイス開口部３０およびフット開口部３１が設けられている。デフロスタ／フェイス開口部３０は、車両用空気吹き出し装置１０を介して、インストルメントパネル１の上面１ａに連通している。尚、図１においては、車両用空気吹き出し装置１０の形状を簡略化して直線状に描いているが、実際の形状（図２を参照）はこれとは異なる。フット開口部３１は、フットダクト３２を介して、フット吹出口３３に連通している。
【００２２】
そして、上記各開口部３０、３１の空気流れ上流側には、デフロスタ／フェイス開口部３０を開閉するデフロスタ／フェイスドア３４、フット開口部３１を開閉するフットドア３５が配置されている。デフロスタ／フェイスドア３４およびフットドア３５は、車室内への空気の吹出状態を切り替える吹出モードドアである。
【００２３】
図２乃至５を参照しながら、車両用空気吹き出し装置１０の構成について説明する。車両用空気吹き出し装置１０は、空調装置２０の空調ケース２１から出た空調風を車室内に導く装置である。このため、図２に示されるように、車両用空気吹き出し装置１０は、空調ケース２１と、インストルメントパネル１の上面１ａとの間を繋いでいる。尚、本実施形態に係る車両用空気吹き出し装置１０と同様の構成のものは、一般に「ハイブリッドデフ装置」とも称される。
【００２４】
車両用空気吹き出し装置１０は、インストルメントパネル１の内側に配置され、デフロスタ／フェイス開口部３０と連通することで、デフロスタ／フェイス開口部３０から吹き出た空調風を車室内に導くようになっている。
【００２５】
車両用空気吹き出し装置１０は、主ケーシング１１、フラップ１２、１０個のルーバ２６１ａ〜２７０ａ、及び駆動機構１４を有している。尚、図２乃至４においては、１０個のルーバ２６１ａ〜２７０ａのうちルーバ２６１ａのみが図示されている。
【００２６】
主ケーシング１１は、デフロスタ／フェイス開口部３０から出た空調風を車室内に導く案内流路Ｘを囲むダクトである。つまり、主ケーシング１１は、空気の流路である案内流路Ｘを区画する流路壁となっている。案内流路Ｘには、フラップ１２、ルーバ２６１ａ〜２７０ａ等も配置される。主ケーシング１１は、空気の入口、すなわち空調装置２０から空気が流入する部分である入口部１１１と、空気の出口、すなわち車室内に空気が噴き出る部分である出口部１１２とを有している。入口部１１１は、デフロスタ／フェイス開口部３０に接続されている。出口部１１２には、車室内に空気を吹き出すための開口ＯＰが形成されている。
【００２７】
出口部１１２の開口ＯＰは、車幅方向に細長く延びた形状の開口であり、運転席の正面および助手席の正面にわたって形成されている。尚、開口ＯＰの車幅方向長さおよび上面１ａにおける配置場所は任意に変更可能である。
【００２８】
本実施形態では、インストルメントパネル１の内側に設置された他の機器（不図示）との干渉を避けるために、空調装置２０の位置は、出口部１１２に対して後方側にオフセットした位置となっている。このため、入口部１１１から空気が流入する方向に沿って見たときにおいて、出口部１１２は、入口部１１１の位置に対して前方側にずれた位置に設けられている。尚、ここでいう「ずれた位置」とは、入口部１１１から案内流路Ｘに流入した空気が、その流れ方向を途中で変えない限り到達し得ないような出口部１１２の位置のことを言う。
【００２９】
主ケーシング１１の内部に形成された案内流路Ｘは、その全体が屈曲した流路となっている。空調装置２０のデフロスタ／フェイス開口部３０から出た空調風は、上方側に向かって主ケーシング１１の内部に流入した後、車両５０の前方側に向かってその流れ方向を変える。更にその後、下流側に行くに従って流れ方向を上方側に向けて変化させて行き、最終的には上方側に向かいながら出口部１１２に到達する。
【００３０】
図２に示されるように、主ケーシング１１のうち下方側の部分、具体的には、屈曲した案内流路Ｘの外周側を区画している部分において、主ケーシング１１の内壁の一部が階段状となっている。それぞれの段差部分（空気の流れ方向に対して垂直な部分）には衝突面１１５ａ、１１５ｂ、１１５ｃが形成されている。
【００３１】
このような衝突面１１５ａ、１１５ｂ、１１５ｃは、案内流路Ｘを区画する壁面の一部を内側に向けて突出させたもの、ということもできる。このため、衝突面１１５ａ、１１５ｂ、１１５ｃのそれぞれは、案内流路Ｘを空気が流れる方向に対して概ね垂直な面となっている。衝突面１１５ａ、１１５ｂ、１１５ｃは、空気の流れ方向に沿って、上流側からこの順に並ぶように配置されている。衝突面１１５ａ、１１５ｂ、１１５ｃが形成されていることによる効果については、後に説明する。
【００３２】
主ケーシング１１のうち上方側の部分は、コアンダ壁１１３、前側壁１１４を備えた筒形状となっている。図３に示されるように、コアンダ壁１１３は、上方に延びるにつれて緩やかに車両後方側に曲がるコアンダ面１１３ａを、案内流路Ｘ側に形成する壁である。
【００３３】
本実施形態では、空調装置２０からの空調風を車室内に供給するためのモードとして、デフロストモードと、循環風モードと、フェイスモードと、フットモードとが用意されている。デフロストモードは、開口ＯＰから吹き出された空調風を上方のフロントガラス２（図２を参照）に向かわせて、フロントガラスの曇りを晴らすモードである。循環風モードは、例えば乗員の頭上の空間を通過するような方向に向けて開口ＯＰから空調風を吹き出して、空調風を車室内で循環させるモードである。フェイスモードは、開口ＯＰから吹き出された空調風を乗員の上半身に向かわせるモードである。フットモードは、フット吹出口３３から吹き出された空調風を乗員の足元に向かわせるモードである。
【００３４】
上記のように、フットモード以外のモードでは、空調装置２０からの空調風はいずれも出口部１１２の開口ＯＰから車室内に吹き出される。車両用空気吹き出し装置１０は、主ケーシング１１の内部に配置されたフラップ１２の角度を調整することにより、開口ＯＰから吹き出された空気の方向を各モードに合わせて変化させる。
【００３５】
フラップ１２は、案内流路Ｘに配置される羽形状の部材である。駆動機構１４がこのフラップ１２を駆動してフラップ１２の傾斜角を変化させることで、デフロストモードとデフロストモード以外のモードとを切り替えることができる。ここでいう「デフロストモード以外のモード」とは、本実施形態においては循環風モードとフェイスモードのことである。
【００３６】
フラップ１２は、２枚の板部材を有している。それら板部材の各々は、主ケーシング１１の内部の案内流路Ｘにおいて、フラップシャフト２２７の長手方向の殆どの部分から、フラップシャフト２２７の回転中心から離れるように、延びている。これら２枚の板部材は、フラップシャフト２２７に固定され、フラップシャフト２２７を中心として互いに対称的に延びている。このように構成されたフラップ１２は、フラップシャフト２２７と同軸かつ一体的に左右方向を軸として回転する。フラップシャフト２２７は、その両端が回転自在な状態で軸支された棒形状の部材である。
【００３７】
フェイスモードにおいては、図３に示されるように、フラップ１２の板部材が延びる方向が、鉛直方向に対して６０度を成すような状態とされる。このとき、フラップ１２とコアンダ壁１１３との間に形成される流路が狭くなるので、当該流路を通過する空気の流速は大きくなる。つまり、コアンダ壁１１３の内面、すなわちコアンダ面１１３ａに沿って高速気流が形成された状態となる。
【００３８】
本発明者らが行った検証によれば、壁面に沿って流れる空気の流速が大きくなる程、当該空気の流れ方向が壁面に沿って変化する傾向は強くなることが判っている。つまり、空気の流速が大きくなる程、所謂コアンダ効果が生じやすくなる。このため、図３に示されるような高速気流が形成された状態においては、主ケーシング１１の内部（案内流路Ｘ）を上方に向かって流れる空気の多くはコアンダ面１１３ａに沿ってその流れ方向を変化させ、乗員側、すなわち車両５０の後方側に向かって吹き出されることとなる。このように、コアンダ面１１３ａは、吹き出される空気の少なくとも一部を、コアンダ効果により車両５０の後方側に向かうよう案内するものとして機能する。
【００３９】
デフロストモードにおいては、図４に示されるように、フラップ１２の板部材が延びる方向が、鉛直方向に対して４５度を成すような状態とされる。このとき、フラップ１２とコアンダ壁１１３との間に形成される流路が広くなるので、当該流路を通過する空気の流速は小さくなる。つまり、図３に示されるような高速気流は形成されず、コアンダ面１１３ａに沿って流れる空気の流速が小さくなる。
【００４０】
その結果、図４に示される状態においては、主ケーシング１１の内部（案内流路Ｘ）を上方に向かって流れる空気は、コアンダ面１１３ａに沿ってその流れ方向を殆ど変化させることなく、上方側に向かって、すなわちフロントガラス２に向かって吹き出されることとなる。
【００４１】
循環風モードにおいては、フラップ１２の板部材が延びる方向が鉛直方向に対してなす角度は、４５度よりも大きく且つ６０度よりも小さな角度となるように調整される。
【００４２】
図５を参照しながら、ルーバ２６１ａ〜２７０ａの構成について説明する。ルーバ２６１ａ〜２７０ａは、案内流路Ｘのうちフラップ１２よりも上流側となる位置において、開口ＯＰの延びる方向に沿って一例に並んで配置されている。ルーバ２６１ａ〜２７０ａは、出口部１１２から吹き出される空気の、左右方向における広がりを調整するための機構である。
【００４３】
ルーバ２６１ａ〜２７０ａのそれぞれは、２枚の平板部材を有している。それら板部材の各々は、主ケーシング１１の内部の案内流路Ｘにおいて、ルーバシャフト２６１〜２７０の長手方向の殆どの部分から、ルーバシャフト２６１〜２７０の回転中心から離れるように、延びている。また、これら２枚の板部材は、ルーバシャフト２６１〜２７０に固定され、ルーバシャフト２６１〜２７０を中心として互いに対称的に延びている。このように構成されたルーバ２６１ａ〜２７０ａは、ルーバシャフト２６１〜２７０と同軸かつ一体的に前後方向を軸として回転する。
【００４４】
図５に示される状態においては、ルーバ２６１ａ〜２７０ａのそれぞれの傾斜角度は、吹き出される空気が左右方向に広がるような角度となっている。駆動機構１４により、ルーバ２６１ａ〜２７０ａのそれぞれの角度を個別に変化させることが可能となっている。このようなルーバ２６１ａ等の角度調整を実現するための具体的な構成については図示を省略するが、例えばルーバ毎に個別のモータを設けたり、ギヤの減速比をルーバ毎に異ならせたりする等、既知の構成を組み合わせることにより実現可能である。
【００４５】
図６を参照しながら、主ケーシング１１の内部における空気の流れについて説明する。図６においては、当該空気の流れが矢印ＡＲ１等により示されている。図６においては、フラップ１２及びルーバ２６１ａ〜２７０ａの図示が省略されている。
【００４６】
入口部１１１から案内流路Ｘ内に流入した空気は、矢印ＡＲ１で示されるように、車両の前方側に向かって流れる。その後は、既に述べたように、空気は下流側に行くに従って流れ方向を上方側に向けて変化させて行き、最終的には上方側に向かいながら出口部１１２に到達する。
【００４７】
案内流路Ｘは、その全体が屈曲した流路として形成されている。案内流路Ｘを流れた空気が出口部１１２から吹き出される際においては、上記屈曲の影響により、空気の吹き出し方向が車両前方側に向かって傾斜してしまう傾向がある。つまり、空気の吹き出し方向が、屈曲した流路の外周側となる方向に偏ってしまう傾向がある。図６においては、このような空気の流れが点線の矢印ＡＲ７で示されている。このように、空気の吹き出し方向が偏ってしまうと、フラップ１２やルーバ２６１ａ〜２７０ａによる吹き出し方向の調整がうまくいかず、設計通りの位置に空気が吹き出されない可能性がある。
【００４８】
そこで、本実施形態では、案内流路Ｘの途中に衝突面１１５ａ、１１５ｂ、１１５ｃを形成することで、上記のような吹き出し方向の偏りを抑制している。本実施形態では、主ケーシング１１の壁面に沿って流れている一部の空気は衝突面１１５ａに衝突して、その流れ方向を変化させる。具体的には、壁面（主ケーシング１１の内面）から離れて上方側、すなわち出口部１１２側に向かうようにその流れ方向を変化させる。図６では、このような空気の流れが矢印ＡＲ２で示されている。
【００４９】
その下流側においても同様に、主ケーシング１１の壁面に沿って流れている一部の空気は衝突面１１５ｂに衝突して、その流れ方向を変化させる。ここでも、空気は壁面から離れて上方側、すなわち出口部１１２側に向かうようにその流れ方向を変化させる。図６では、このような空気の流れが矢印ＡＲ３で示されている。
【００５０】
その更に下流側においても同様であって、主ケーシング１１の壁面に沿って流れている一部の空気は衝突面１１５ｃに衝突して、その流れ方向を変化させる。ここでも、空気は壁面から離れて上方側、すなわち出口部１１２側に向かうようにその流れ方向を変化させる。図６では、このような空気の流れが矢印ＡＲ４で示されている。
【００５１】
空気の一部は、衝突面１１５ｃよりも更に前方側に向かって進み、前方側端部の壁面に沿って上昇する。図６では、このような空気の流れが矢印ＡＲ５で示されている。
【００５２】
以上のように、本実施形態では、屈曲形成された流路である案内流路Ｘの途中において、衝突面１１５ａ、１１５ｂ、１１５ｃのそれぞれによって空気の流れ方向が上方側へと変更される。その結果、フラップ１２やルーバ２６１ａ〜２７０ａの影響が仮に無いものとしたときには、出口部１１２を通過する際における空気の流れ方向は、（矢印ＡＲ７で示されるものとは異なり）開口ＯＰに対して概ね垂直な方向となる。図６では、このような空気の流れが矢印ＡＲ６で示されている。このように、衝突面１１５ａ、１１５ｂ、１１５ｃは「方向変更部」として機能する。
【００５３】
案内流路Ｘが屈曲していることの影響が低減され、開口ＯＰに対して概ね垂直な方向に沿って空気が流れるので、フラップ１２やルーバ２６１ａ〜２７０ａによる吹き出し方向の調整を適切に行うことが可能となる。
【００５４】
本実施形態では、衝突面１１５ａ、１１５ｂ、１１５ｃのそれぞれの突出量（段差の高さともいえる）のうち、衝突面１１５ａの突出量が最も大きくなっており、衝突面１１５ｃの突出力が最も小さくなっている。つまり、空気の流れに沿って下流側に行くほど、衝突面の突出量が小さくなるように構成されている。
【００５５】
このため、風量及び風速が比較的大きな上流側においては大きな衝突面１１５ａによって空気の流れ方向が変更され、風量及び風速が比較的小さな下流側においては小さな衝突面１１５ｃによって空気の流れ方向が変更される。その結果、壁面に沿って流れる空気と、衝突面１１５ａにより流れ方向を変化させる空気とのバランスが、案内流路Ｘの各部において適切に維持される。
【００５６】
図６では、コアンダ面１１３ａの上流側端部（下端部）の位置が点線ＤＬ１で示されている。本実施形態では、３つの方向変更部のうち最も上流側に形成されている衝突面１１５ａが、前後方向において点線ＤＬ１よりも車両５０の後方側となる位置に形成されている。このため、衝突面１１５ａに衝突した空気は、衝突面１１５ａから上方側に向かって進行した後、主ケーシング１１の天井面１１７に衝突することとなる。本発明者らが行った検証によれば、コアンダ面１１３ａに到達する前において一部の空気を天井面１１７に衝突させれば、その下流側のコアンダ面１１３ａに沿った空気の流量が十分に確保されるという知見が得られている。
【００５７】
また、図６では、開口ＯＰの前方側端部の位置が点線ＤＬ２で示されている。本実施形態では、３つの方向変更部のうち最も下流側に形成されている衝突面１１５ｃが、前後方向において点線ＤＬ２よりも車両５０の前方側、すなわち開口ＯＰよりも前方側となる位置に形成されている。このため、衝突面１１５ｃに衝突した空気は、衝突面１１５ｃから上方側に向かって進行した後、主ケーシング１１の天井面１１８に対して概ね垂直に衝突することとなる。本発明者らが行った検証によれば、天井面１１８のうち広い範囲に空気を垂直に衝突させると、空気の流れ方向が滑らかに変化し、その際におけるエネルギーロスが少なくなるという知見が得られている。その結果、下流側における空気の流れ方向の偏りを更に抑制することができる。
【００５８】
以上のように、本実施形態では、コアンダ面１１３ａや開口ＯＰに対する衝突面１１５ａ等の位置を適切に調整することで、空気の流れ方向の偏りを更に抑制し、フラップ１２やルーバ２６１ａ〜２７０ａによる吹き出し方向の調整をより適切に行えるような構成となっている。
【００５９】
図７を参照しながら、車両用空気吹き出し装置１０の変形例について説明する。この変形例では、空調装置２０の位置が、出口部１１２に対して左側にオフセットした位置となっている。このため、入口部１１１から空気が流入する方向に沿って見たときにおいて、出口部１１２は、入口部１１１の位置に対して右側にずれた位置に設けられている。また、主ケーシング１１の内部に形成された案内流路Ｘは、その全体が屈曲した流路となっている。空調装置２０のデフロスタ／フェイス開口部３０から出た空調風は、上方側に向かって主ケーシング１１の内部に流入した後、車両５０の右側に向かってその流れ方向を変える。更にその後、下流側に行くに従って流れ方向を上方側に向けて変化させて行き、最終的には上方側に向かいながら出口部１１２に到達する。
【００６０】
図７に示されるように、主ケーシング１１のうち下方側の部分、具体的には、屈曲した案内流路Ｘの外周側を区画している部分において、主ケーシング１１の内壁の一部が階段状となっている。それぞれの段差部分（空気の流れ方向に対して垂直な部分）には衝突面１１６ａ、１１６ｂ、１１６ｃが形成されている。
【００６１】
このような衝突面１１６ａ、１１６ｂ、１１６ｃは、案内流路Ｘを区画する壁面の一部を内側に向けて突出させたもの、ということもできる。このため、衝突面１１５ａ、１１５ｂ、１１５ｃのそれぞれは、案内流路Ｘを空気が流れる方向に対して概ね垂直な面となっている。衝突面１１６ａ、１１６ｂ、１１６ｃは、空気の流れ方向に沿って、上流側からこの順に並ぶように配置されている。
【００６２】
図７においては、当該空気の流れが矢印ＡＲ１１等により示されている。この変形例においても、主ケーシング１１の内部にはフラップ１２及びルーバ２６１ａ〜２７０ａが配置されているのであるが、図７においてはこれらの図示が省略されている。
【００６３】
入口部１１１から案内流路Ｘ内に流入した空気は、矢印ＡＲ１１で示されるように、車両の右側に向かって流れる。その後は、既に述べたように、空気は下流側に行くに従って流れ方向を上方側に向けて変化させて行き、最終的には上方側に向かいながら出口部１１２に到達する。
【００６４】
案内流路Ｘは、その全体が屈曲した流路として形成されている。案内流路Ｘを流れた空気が出口部１１２から吹き出される際においては、上記屈曲の影響により、空気の吹き出し方向が車両右側に向かって傾斜してしまう傾向がある。つまり、空気の吹き出し方向が、屈曲した流路の外周側となる方向に偏ってしまう傾向がある。図７においては、このような空気の流れが点線の矢印ＡＲ１７で示されている。このように、空気の吹き出し方向が偏ってしまうと、フラップ１２やルーバ２６１ａ〜２７０ａによる吹き出し方向の調整がうまくいかず、設計通りの位置に空気が吹き出されない可能性がある。
【００６５】
そこで、この変形例では、案内流路Ｘの途中に衝突面１１６ａ、１１６ｂ、１１６ｃを形成することで、上記のような吹き出し方向の偏りを抑制している。この変形例では、主ケーシング１１の壁面に沿って流れている一部の空気は衝突面１１６ａに衝突して、その流れ方向を変化させる。具体的には、壁面（主ケーシング１１の内面）から離れて上方側、すなわち出口部１１２側に向かうようにその流れ方向を変化させる。図７では、このような空気の流れが矢印ＡＲ１２で示されている。
【００６６】
その下流側においても同様に、主ケーシング１１の壁面に沿って流れている一部の空気は衝突面１１６ｂに衝突して、その流れ方向を変化させる。ここでも、空気は壁面から離れて上方側、すなわち出口部１１２側に向かうようにその流れ方向を変化させる。図７では、このような空気の流れが矢印ＡＲ１３で示されている。
【００６７】
その更に下流側においても同様であって、主ケーシング１１の壁面に沿って流れている一部の空気は衝突面１１６ｃに衝突して、その流れ方向を変化させる。ここでも、空気は壁面から離れて上方側、すなわち出口部１１２側に向かうようにその流れ方向を変化させる。図７では、このような空気の流れが矢印ＡＲ１４で示されている。
【００６８】
空気の一部は、衝突面１１６ｃよりも更に右側に向かって進み、右側端部の壁面に沿って上昇する。図７では、このような空気の流れが矢印ＡＲ１５で示されている。
【００６９】
以上のように、この変形例では、屈曲形成された流路である案内流路Ｘの途中において、衝突面１１６ａ、１１６ｂ、１１６ｃのそれぞれによって空気の流れ方向が上方側へと変更される。その結果、フラップ１２やルーバ２６１ａ〜２７０ａの影響が仮に無いものとしたときには、出口部１１２を通過する際における空気の流れ方向は、（矢印ＡＲ１７で示されるものとは異なり）開口ＯＰに対して概ね垂直な方向となる。図７では、このような空気の流れが矢印ＡＲ１６で示されている。このように、衝突面１１６ａ、１１６ｂ、１１６ｃは「方向変更部」として機能する。
【００７０】
この変形例においても、案内流路Ｘが屈曲していることの影響が低減され、開口ＯＰに対して概ね垂直な方向に沿って空気が流れるので、フラップ１２やルーバ２６１ａ〜２７０ａによる吹き出し方向の調整を適切に行うことが可能となる。
【００７１】
この変形例では、衝突面１１６ａ、１１６ｂ、１１６ｃのそれぞれの突出量（段差の高さともいえる）のうち、衝突面１１６ａの突出量が最も大きくなっており、衝突面１１６ｃの突出力が最も小さくなっている。つまり、空気の流れに沿って下流側に行くほど、衝突面の突出量が小さくなるように構成されている。
【００７２】
このため、風量及び風速が比較的大きな上流側においては大きな衝突面１１６ａによって空気の流れ方向が変更され、風量及び風速が比較的小さな下流側においては小さな衝突面１１６ｃによって空気の流れ方向が変更される。その結果、壁面に沿って流れる空気と、衝突面１１６ａにより流れ方向を変化させる空気とのバランスが、案内流路Ｘの各部において適切に維持される。
【００７３】
以上の説明においては、図７の構成は、図６等に示される本実施形態の変形例として説明した。しかしながら、図７の構成は図６の構成に替えて実施してもよいのであるが、図６の構成と共に実施することもできる。
【００７４】
つまり、空調装置２０（及び入口部１１１）の位置が、例えば出口部１１２に対して左側にオフセットし且つ後方側にもオフセットした位置となっている場合において、主ケーシング１１が、図６の衝突面１１５ａ、１１５ｂ、１１５ｃと、図７の衝突面１１６ａ、１１６ｂ、１１６ｃと、の全てを有しているような構成としてもよい。
【００７５】
以上においては、主ケーシング１１の一部を階段状とすることによって衝突面１１５ａ，１１５ｂ，１１５ｃ，１１６ａ，１１６ｂ，１１６ｃを形成し、これらを方向変更部として機能させる構成について説明した。しかしながら、方向変更部は、上記以外の態様により構成されていてもよい。例えば、主ケーシング１１とは別の部材を方向変更部として案内流路Ｘ内に配置し、当該部材によって空気の流れ方向を入口部１１１へと変化させるような態様としてもよい。
【００７６】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００７７】
５０：車両
１０：車両用空気吹き出し装置
１１： 主ケーシング
１１１：入口部
１１２：出口部
１１３ａ：コアンダ面
１１５ａ，１１５ｂ，１１５ｃ，１１６ａ，１１６ｂ，１１６ｃ：衝突面
Ｘ：案内流路
２０：空調装置
【図１】
0006540542.tif 000002
【図２】
0006540542.tif 000003
【図３】
0006540542.tif 000004
【図４】
0006540542.tif 000005
【図５】
0006540542.tif 000006
【図６】
0006540542.tif 000007
【図７】
0006540542.tif 000008